(57)【要約】【課題】  ２：１ローピング方式等において、ガイドレールに対するかご荷重の影響を回避し得るエレベータ用ロープ取付装置を提供する。【解決手段】  水平方向に延在しロープ２が取付けられるロープ取付部４と、このロープ取付部４に固定され垂直方向に延在する固定部５と、この固定部５を昇降路の側壁に取付け固定するボルト等の取付部材７とを具備する。  ロープ２が取付けられるロープ取付部４は、固定部５を介して昇降路の側壁６に取付けられるので、ロープ２で吊り下げられた乗りかご等の荷重等がガイドレールに直接負荷されるのを回避できる。【選択図】      図１
2005219917.tif 000002
【特許請求の範囲】
【請求項１】
ガイドレールに沿って昇降路内を昇降移動する乗りかご及び釣合いおもりを懸吊するロープを端部で固定するエレベータ用ロープ取付装置において、
水平方向に延在し前記ロープが取り付けられるロープ取付部と、
このロープ取付部に固定され垂直方向に延在する固定部と、
この固定部を前記昇降路の側壁に取付け固定する取付部材と
を具備することを特徴とするエレベータ用ロープ取付装置。
【請求項２】
上端部が前記ロープ取付部に固定されて垂下された補強部材と、
この補強部材の下端部を支持して前記昇降路の側壁に固定される取付具と
を具備することを特徴とする請求項１に記載のエレベータ用ロープ取付装置。
【請求項３】
前記ロープ取付部と前記補強部材とを連結固定する別の補強部材を具備することを特徴とする請求項２に記載のエレベータ用ロープ取付装置。
【請求項４】
前記ロープ取付部は、前記ロープを巻き掛ける中継案内具を有し、
前記取付具は、前記中継案内具に巻き掛けられた前記ロープの一端部を取付け固定するように構成されたことを特徴とする請求項２または請求項３に記載のエレベータ用ロープ取付装置。
【請求項５】
前記ロープ取付部は、前記ガイドレールを取付け固定したことを特徴とする請求項１ないし請求項４のうちのいずれか１項に記載のエレベータ用ロープ取付装置。
【発明の詳細な説明】
【技術分野】
【０００１】
本発明は、乗りかご等を昇降駆動するためのロープを端部で固定するエレベータ用ロープ取付装置の改良に関する。
【背景技術】
【０００２】
２：１ローピング方式によるロープ式エレベータは、一般には、乗りかごの上部に乗りかごシーブが設けられ、乗りかごシーブに掛け渡されたロープ（主索）は、巻上機の駆動綱車に掛け渡され、さらに釣合いおもりの上部に設けられた釣合いおもりシーブに掛け渡されて構成される。
【０００３】
上記構成で、ロープの両端部は、巻上機が設置された機械室内のマシンビームに固定される。
【０００４】
最近のロープ式エレベータでは、建築物における建物の有効利用や日照権の問題等から、昇降路上に機械室が設けられないことが多い。
【０００５】
図１１は、機械室が設置されないロープ式エレベータにおける従来のロープ取付装置を示した構成図である。
【０００６】
すなわち、ガイドレール１に沿って不図示の乗りかごは昇降移動するが、乗りかごを懸吊するロープ２の端部は、シャックルロッド２ａを介して、ロープ取付装置３に連結固定され、ロープ取付装置３は、ボルト１ａによりガイドレール１に取付けられている。
【０００７】
ロープ取付装置３は、Ｌ型部材からなり、ガイドレール１の背面に固定されたベース部３ａと、ベース部３ａの上端部から水平方向に向かって延出するロープ支持部３ｂとで構成され、ロープ２の端部は、シャックルロッド２ａを介してロープ支持部３ｂに取付けられている（特許文献１参照）。
【０００８】
図１１は、２：１ローピング方式における、乗りかご側のロープ取付装置３を示したものであるが、釣合いおもり側のロープ取付装置３も同様に構成されている。  
【特許文献１】特開２０００−８６１１４号公報
【発明の開示】
【発明が解決しようとする課題】
【０００９】
エレベータのロープ取付装置は、重量の大きな乗りかごあるいは釣合いおもりを支えるものではあるが、上記従来のエレベータ用ロープ取付装置は、ベース部３ａの上端部から水平方向に向かって延出したロープ支持部３ｂに、シャックルロッド２ａを介してロープ端部が連結されている。
【００１０】
従って、従来のエレベータ用ロープ取付装置は、一端部でガイドレール１に取付け固定されたロープ支持部に、負荷重量の大きなロープを吊り下げた、いわゆる片持ち構成をなすものであったから、単に乗りかごあるいは釣合いおもりを昇降案内するだけの剛性を有するガイドレールにとっては、大きな負荷となったので改善が要望されていた。
【００１１】
そこで本発明は、ガイドレールに対し、乗りかごや釣合いおもり等の機械的に大きな負荷荷重を付加することなく、安定かつ確実にロープ端部を取付け固定し得るエレベータ用ロープ取付装置を提供することを目的とする。
【課題を解決するための手段】
【００１２】
本発明は、ガイドレールに沿って昇降路内を昇降移動する乗りかご及び釣合いおもりを懸吊するロープを端部で固定するエレベータ用ロープ取付装置において、水平方向に延在し前記ロープが取り付けられるロープ取付部と、このロープ取付部に固定され垂直方向に延在する固定部と、この固定部を前記昇降路の側壁に取付け固定する取付部材とを具備することを特徴とする。
【発明の効果】
【００１３】
このように本発明のエレベータ用ロープ取付装置は、ロープ取付部と、このロープ取付部に固定され垂直方向に延在する固定部とを有し、取付部材により前記固定部を昇降路の側壁に取付け固定するので、ガイドレールに対し大きな機械的な負荷荷重が付加されるのを回避することができる。
【発明を実施するための最良の形態】
【００１４】
以下、本発明のエレベータ用ロープ取付装置の一実施例を図１ないし図１０を参照して詳細に説明する。なお、図１１に示した従来の構成と同一構成には同一符号を付して詳細な説明は省略する。
【００１５】
図１は、本発明のエレベータ用ロープ取付装置の第１の実施例を示した正面図で、図２は図１に示した装置の平面図、図３は図１及び図２に示した装置の分解斜視図である。
【００１６】
図１ないし図３に示したエレベータ用ロープ取付装置は、水平方向に延在しロープ２が取り付けられるロープ取付部４と、このロープ取付部４に一端部において連結固定され垂直方向に延在する固定部５と、この固定部５を昇降路の側壁６に取付け固定するボルト等からなる取付部材７とを備えている。
【００１７】
上記構成において、ロープ取付部４は、一端部において前記固定部５と一体に形成された支持板４１と、この支持板４１の下面に重ねられて水平方向に延在し、他端部でシャックルロッド２ａを介してロープ２が取付けられる板状のロープ取付部材４２とから構成されている。なお、支持板４１とロープ取付部材４２とは、ビス４ａで連結固定されている。
【００１８】
また、本実施例では、板状の第１の補強部材８が、上端部において、ロープ取付部材４２に嵌め合わされつつビス４ｂにより支持板４１に固定され、下端部において、昇降路の側壁６にボルト９ａで固定された取付具９にビス８ａ止め固定されて構成されている。
【００１９】
さらにまた、本実施例は、ブロック状の第２の補強部材１０が、ロープ取付部４と第１の補強部材８とを連結固定して、取付具９及びその取付具９に固定支持された第１の補強部材とともに、水平方向に延在して乗りかご等の重量荷重が付加されるロープ取付部４の機械的強度を補強し剛性をより高めるように構成されている。
【００２０】
なお、図１及び図３において、符号１０ａは、第２の補強部材１０を第１の補強部材８に取付け固定するビスを示し、またこの実施例では、支持板４１とロープ取付部材４２とを連結固定したビス４ａは、第２の補強部材１０をも固定するように構成されている。
【００２１】
また、図１ないし図３において、ロープ取付部材４２と第１の補強部材８との組み合わせで形成される三角部には、水平方向に延在するロープ取付部材４２の支持強化を図るべく、三角板形状の補強材１１が嵌め込まれビス止め固定されている。
【００２２】
なお、図１ないし図３に示した実施例では、ボルトからなる取付部材７を、昇降路の側壁６側に設けられた埋め込みナットへのねじ込みにより、固定部５を昇降路の側壁６に取付け固定するように示しているが、昇降路側壁６側の所定位置にアンカーボルトが予め埋め込まれていて、ナットからなる取付部材７を、固定部５に貫通されたそのアンカーボルトに嵌め込み、締めつけ固定するように構成しても良い。このことは取付具９の昇降路の側壁６に対する取付け構造においても同様である。
【００２３】
また、エレベータ用ロープ取付装置の組立構成にビス４ａ、４ｂ、８ａ、１０ａ等を用いる旨説明したが、ここでもビスに代えて、ボルト締めあるいは他の溶接等の連結固定手段を適宜選択採用しても良いことは言うまでもない。
【００２４】
上記説明のように、図１ないし図３に示した第１の実施例のエレベータ用ロープ取付装置は、ロープ取付部４と固定部５と取付部材７とを具備し、乗りかご等の負荷荷重を受けるロープ取付部４は、ガイドレールから切り離され、ボルト等の取付部材７により固定部５を介して昇降路に固定支持されるので、ガイドレールは剛性が小さくて済み、ガイドレールの軽量化並びに簡易化を図ることができる。
【００２５】
なお、図１ないし図３では、第２の補強部材１０を、第１の補強部材８に対しその昇降路側に取付けたが、図４に示したように、三角板形状の補強部材１１と同じ側、すなわちロープ２の吊り下げ側に取付け構成しても良い。
【００２６】
次ぎに、上記第１の実施例では、ロープ２の端部をロープ取付部４にのみ取付け支持するように構成したが、ロープ２の端部をロープ取付部４の下方に位置した取付具９に取付け固定し、ロープ２をロープ取付部４を折返し経由して垂下させ、乗りかごや釣合いおもりを吊り下げるように構成することができる。
【００２７】
図５及び図６を参照して、ロープの端部をロープ取付部の下方に位置する取付具に固定し、上方位置のロープ取付部を経由折返して垂下させるように構成した第２の実施例に係るエレベータ用ロープ取付装置を説明する。
【００２８】
図５は、第２の実施例を示した正面図であり、図６は図５に示した装置の平面図である。なお、図５及び図６において、上記第１の実施例と同一構成には同一符号を付し、詳細な説明は省略する。
【００２９】
すなわち、第２の実施例に係るエレベータ用ロープ取付装置は、ロープ取付部４は、ロープ２を巻き掛けるプーリからなる中継案内具１２を有し、取付具９は、この中継案内具１２に巻き掛けられたロープ２の一端部をシャックルロッド２ａを介して取付け固定するように構成されている。
【００３０】
このように、第２の実施例においては、上方位置のロープ取付部４より下方位置の取付具９に、ロープ２の一端部をシャックルロッド２ａを介して取付け固定するように構成したので、エレベータ用ロープ取付装置自体の取付け位置が、昇降路内の頂部近傍にあって、天井までの空間（スペース）が狭い場合であっても、シャックルロッド２を介して取付け固定されるロープ２の一端部は、下方位置の取付具９に取り付けられるので、作業員によるロープ２の交換作業あるいはメンテナンス作業時は、比較的広い空間を利用して作業できるので作業効率向上が可能である。
【００３１】
なお、図５及び図６に示した中継案内具１２は、回転するプーリで構成され、ロープ２を巻き掛けて回動しつつ支持するように記載したが、要するに、下方位置の取付具９に取付けられたロープ２が折り返されればよいので、必ずしも回転するプーリでなくとも良い。
【００３２】
次ぎに、上記第１及び第２の実施例に示したエレベータ用ロープ取付装置は、ガイドレールに取り付けられることなく、ガイドレールに乗りかご等の荷重負荷がかからないものとして説明したが、上記のようにエレベータ用ロープ取付装置自体が昇降路壁に取付け固定され、高度な剛性を有して頑丈に取付け構成された場合には、軽量負荷のガイドレールを、逆にエレベータ用ロープ取付装置に取付ることができる。
【００３３】
第１及び第２の実施例と同一構成には同一符号を付して示した図７及び図８を参照し、本発明によるエレベータ用ロープ取付装置の第３の実施例を説明する。
【００３４】
図７は第３の実施例に係るエレベータ用ロープ取付装置の正面図、図８は図７に示した装置の平面図である。
【００３５】
すなわち、第３の実施例に係るエレベータ用ロープ取付装置は、第１及び第２の実施例と相違し、ロープ取付部４の支持板４１と取付具９を図示奥行き方向に伸延するようにやや幅広に形成し、ガイドレール１が、ボルト１ｂ及びナット１ｃにより、ロープ２の一端を支持したロープ取付部材４２に並設するように据え付け構成されている。
【００３６】
この実施例によれば、ガイドレール１は、昇降路壁に取付け固定されて高度な剛性を有して頑丈に取付け構成されたエレベータ用ロープ取付装置に取付けられるので、ガイドレール１自体に対する乗りかご等の負荷荷重の影響を実質上無視することができる。
【００３７】
次ぎに、上記第１ないし第３の各実施例では、ロープ取付部４のロープ取付部材４２はロープ２のみを取付け構成したが、ロープ取付部材４２の有するスペースによっては、ロープ２のみではなく調速機（ガバナ）をも併せ取付けても良い。
【００３８】
図９及び図１０は、ロープ取付部４にロープ２とともに調速機（ガバナ）をも取付け構成した本発明によるエレベータ用ロープ取付装置の第４の実施例を説明する。
【００３９】
図９は、第４の実施例を示した正面図であり、図１０は図９に示した装置の右側面図である。この第４の実施例と上記説明の第１ないし第３の実施例との相違点は、図９及び図１０に示したように、ロープ取付部４とりわけロープ取付部材４２の形状が、図示奥行き方向に寸法形状が大であり、そのロープ取付部材４２の空きスペースにガバナ１３を据え付けたことを特徴とする。
【００４０】
上記構成によれば、ガバナ１３をロープ取付装置に取付けるようにしたので、ガバナ１３取付け用のブラケットを昇降路内に別途取付ける必要がなくなり、エレベータ構成の簡易化を実現できる。また、この実施例によれば、ガバナ１３をガイドレール１に取付けないので、ガイドレール１に対し、荷重負担を掛けなくて済む利点がある。
【００４１】
以上説明のようにも、本発明のエレベータ用ロープ取付装置によれば、取付部材により固定部を昇降路の側壁に取付け固定したので、乗りかごあるいは釣合いおもりの荷重をガイドレールに負荷させるのを回避でき、ガイドレールは小さな剛性で、軽量化並びに簡易化を図ることができる。
【００４２】
なお、上記各実施例の説明において、ロープ取付部４は、支持板４１とロープ取付部材４２とで構成され、支持板４１が固定部５と一体化されたように説明したが、ロープ取付部材４２を省略し、固定部５に一体化された支持板４１を水平方向に延出させ、その延出させた支持板４１にシャックルロッド２ａ等を取付け固定するようにしても良い。
【００４３】
また、上記各実施例の説明で、ロープ取付部材４２には、取付固定しようとするロープ２に対応した数の吊り下げ孔を設けているが、シャックルロッド２ａの取付位置の自由度を得るために、予め多数の吊り下げ孔を設けておいて、必要に応じ、その取付位置を選択的に設定できるようにしても良い。また、支持板４１とロープ取付部材４２とは、それぞれ１対１に対応させて、一組を昇降路壁に取付け固定するように説明したが、複数個の支持板４１とロープ取付部材４２とを昇降路壁に並設するように取付け、別途、その並設されたロープ取付部材４２間にロープ２の取付け板を差し渡すように構成しても良い。
【図面の簡単な説明】
【００４４】
【図１】本発明のエレベータ用ロープ取付装置の第１の実施例を示した正面図である。
【図２】図１に示した装置の平面図である。
【図３】図１及び図２に示した装置の分解斜視図である。
【図４】図１に示したエレベータ用ロープ取付装置の第２の補強部材の他の取付位置状態を示した正面図である。
【図５】本発明のエレベータ用ロープ取付装置の第２の実施例を示した正面図である。
【図６】図５に示した装置の平面図である。
【図７】本発明のエレベータ用ロープ取付装置の第３の実施例を示した正面図である。
【図８】図７に示した装置の平面図である。
【図９】本発明のエレベータ用ロープ取付装置の第４の実施例を示した正面図である。
【図１０】図９に示した装置の側面図である。
【図１１】従来のエレベータ用ロープ取付装置を示した構成図である。
【符号の説明】
【００４５】
１  ガイドレール
２  ロープ（主索）
２ａ  シャックルロッド
４  ロープ取付部
４１  支持板
４２  取付部材
５  固定部
６  取付部材（ボルト）
８  第１の補強部材
９  取付具
１０  第２の補強部材
１１  中継案内具
【図１】
2005219917.tif 000003
【図２】
2005219917.tif 000004
【図３】
2005219917.tif 000005
【図４】
2005219917.tif 000006
【図５】
2005219917.tif 000007
【図６】
2005219917.tif 000008
【図７】
2005219917.tif 000009
【図８】
2005219917.tif 000010
【図９】
2005219917.tif 000011
【図１０】
2005219917.tif 000012
【図１１】
2005219917.tif 000013